(57)【要約】【課題】  比較的簡単に自分でオリジナルの電子アルバムを作成することができるようにすることを目的とする。【解決手段】  観光地に関連してユーザが自作の電子アルバムを作成するための素材情報とプログラムが記録された記録媒体であって、この素材情報は、この観光地に関連する文章、画像、音声、地図等の情報を位置、日時等の条件情報を付加して記録されると共にこのプログラムはユーザが用意した画像等に記録された位置、日時等の条件情報に関連する素材情報を自動的に又は選択可能に表示するようにされているものである。【選択図】        図１
2005128785.tif 000002
【特許請求の範囲】
【請求項１】
観光地に関連してユーザが自作の電子アルバムを作成するための素材情報とプログラムが記録された記録媒体であって、
上記素材情報は、上記観光地に関連する文章、画像、音声、地図等の情報を位置、日時等の条件情報を付加して記録されると共に、
上記プログラムは、ユーザが用意した画像等に記録された位置、日時等の条件情報に関連する素材情報を自動的に、又は選択可能に表示するようにされていることを特徴とする記録媒体。
【請求項２】
請求項１記載の記録媒体において、
上記素材情報には複数のオープニングの映像が上記条件情報を付加して記録されていて、上記プログラムによりユーザの条件情報に関連して自動的に、又は選択可能に表示するようにされていることを特徴とする記録媒体。
【請求項３】
請求項２記載の記録媒体において、
上記プログラムにより上記オープニングの映像に引き続いて、ユーザが用意した画像等が時系列に沿って表示するようにされていることを特徴とする記録媒体。
【請求項４】
請求項１記載の記録媒体において、
前記記録媒体のＩＤ（識別番号）を該記録媒体に付加するとともに、
前記ＩＤによってネットワーク上で前記記録媒体に記録された情報の最新情報の提供を受けることができるようにしたことを特徴とする記録媒体。
【請求項５】
ユーザが撮影した画像情報と請求項１記載の記録媒体の情報とを使用すると共に前記条件情報を使用して編集するようにしたことを特徴とする電子アルバム作成装置。
【発明の詳細な説明】
【技術分野】
【０００１】
本発明はユーザが観光旅行したとき等のオリジナルの電子アルバムを作成するのに使用して好適な記録媒体及び電子アルバム作成装置に関する。
【背景技術】
【０００２】
従来、例えば観光旅行したときに、自分で撮影した動画や静止画に、自分で撮影できなかった有名な名所の画像や撮影禁止の絵画の画像を付け加えて編集し、自分でオリジナルの電子アルバムを作成したいときは、観光地で売られている観光情報が記録されたビデオテープやＣＤ−ＲＯＭやインターネット等から自分で情報を探し出してコピーや編集をしたり、絵葉書や市販のスライド、ガイドブック等から画像を電子化して取り込んだりしていた。
【０００３】
特許文献１には、自分で電子アルバムを作成するのではなく、事業者が自動でイベント情報に基づいた魅力的なコンテンツを取得し魅力のあるオリジナルアルバムを作成するものにつき記載されている。
【特許文献１】特開２００２−３５８３１０号公報
【発明の開示】
【発明が解決しようとする課題】
【０００４】
然しながら、従来は自分でオリジナルの電子アルバムを作成するときには観光情報が記録されたビデオテープやＣＤ−ＲＯＭやインターネット等から自分で情報を探し出してコピーや編集をしたり、絵葉書や市販のスライド、ガイドブック等から画像を電子化して取り込んだりする必要があり、自分でオリジナルの電子アルバムを作成するのが極めて複雑で困難である不都合があった。
【０００５】
本発明は斯かる点に鑑み比較的簡単に自分でオリジナルの電子アルバムを作成することができるようにすることを目的とする。
【課題を解決するための手段】
【０００６】
本発明記録媒体は観光地に関連してユーザが自作の電子アルバムを作成するための素材情報とプログラムが記録された記録媒体であって、この素材情報は、この観光地に関連する文章、画像、音声、地図等の情報を位置、日時等の条件情報を付加して記録されると共にこのプログラムはユーザが用意した画像等に記録された位置、日時等の条件情報に関連する素材情報を自動的に又は選択可能に表示するようにされているものである。
【０００７】
斯かる本発明記録媒体によれば観光地に関連する文章、画像、音声、地図等の情報に位置、日時等の条件情報を付加したので、文章、画像、音声、地図等の情報をこの位置、日時等の条件情報により検索することができ、簡単に所望の情報を得ることができ、比較的簡単に自分でオリジナルの電子アルバムを作成することができる。
【発明の効果】
【０００８】
本発明によれば、比較的簡単に自分でオリジナルの電子アルバムを作成することができる。
【発明を実施するための最良の形態】
【０００９】
以下図面を参照して本発明記録媒体及び電子アルバム作成装置を実施するための最良の形態の例につき説明する。
【００１０】
図１は電子アルバム作成システムの構成例を示す。図１において、１はユーザが例えばある観光地に旅行したときに携帯した電子カメラを示し、この電子カメラ１は観光地等における所望の被写体を撮影し、動画及び静止画の電子画像を得る如くなしたものである。
【００１１】
またこの電子カメラ１はこの撮影した観光地等の画像にこの撮影場所（位置）、撮影日時を関連して記録する如くする。この場合この電子カメラ１には、着脱可能な記録媒体が装着できる如くなされ、この記録媒体に記録手段により撮影した画像と撮影場所（位置）、撮影日時とを関連付けて記録できる如くなす。
【００１２】
撮影場所（位置）情報としては、ユーザが携帯している携帯電話やＰＨＳ等が、相互に通信を実施する基地局の位置情報に基づいて得られる現在位置情報や、ＧＰＳ等を用いて取得される現在位置情報を使用することができる。
【００１３】
図１において２は観光地において、土産店等３で販売されている観光地に関連する文章、画像、音声、地図等の情報が記録されている記録媒体を示す。
【００１４】
本例においてはこの記録媒体２に記録されている文章、画像、音声、地図等の情報に位置、日時等の条件情報を付加して記録する如くする。
【００１５】
本例においてはユーザはこの記録媒体２を観光地の土産店等３で購入する如くする。この記録媒体２は観光情報提供サービス事業者４が作成し、この記録媒体２を観光地の土産店等３に納入し、この観光情報提供サービス事業者４はこの観光地の土産店等３より対価（支払い）を受けている。
【００１６】
また、この観光情報事業者４は、この記録媒体２に記録した文章、画像、音声、地図等の情報を情報アップデートサービスサーバ４ａに書き込む如くし、この文章、画像、音声、地図等の情報の最新なものをこの情報アップデートサービスサーバ４ａに書き込む如くする。
【００１７】
本例においては、この記録媒体２にＩＤ（識別番号）を付加しておき、この記録媒体２の購入者（ユーザ）５がこのＩＤを用いネットワーク６を介してこの情報アップデートサービスサーバ４ａにアップロードしたときにこのＩＤを判別し、このＩＤが確認されたときには、この記録媒体２の購入者はこの記録媒体２に記録された情報の最新情報の提供をこのネットワーク６を介して受けることができるようにする。
【００１８】
次に図２のフローチャートを使用しユーザ５が自分で電子アルバムを作成する手順につき説明する。
先ず電子アルバム作成装置を構成するパーソナルコンピュータ１０に電子カメラ１で自分がある観光地で撮影した動画、静止画の電子画像を入力（ハードディスクＨＤ等）し記憶する（ステップＳ１）。
【００１９】
次にこのパーソナルコンピュータ１０にユーザ５がある観光地の土産店等３で購入した観光情報が記録されている記録媒体（例えばＣＤ−ＲＯＭ）２を読み出せるようにセットする（ステップＳ２）。
【００２０】
次に観光情報を最新のものにするかどうかを判断する（ステップＳ３）。観光情報を最新のものを使用しないときにはステップＳ４に移行し、記録媒体２に記録されている希望する観光情報の種類を選択する。
【００２１】
このステップＳ３で観光情報を最新のものとするときには、このパーソナルコンピュータ１０をネットワーク６経由で観光情報提供サービス事業者４の情報アップデートサービスサーバ４ａに接続し、この記録媒体２のＩＤを確認し、このユーザ５はこの記録媒体２に記録されている文章、画像、音声、地図等の最新情報の提供を受け、この最新情報をパーソナルコンピュータ１０のメモリに記憶し（ステップＳ５）、その後ステップＳ４に移行する。
【００２２】
このステップＳ４においては、パーソナルコンピュータ１０の画面に例えば図３に示す如きメニューを表示し、ユーザ５が自分の撮影した動画、静止画の電子画像に追加したい情報の種類を選択する。
【００２３】
例えば画像情報、文章情報、地図、ナレーション情報、音楽、その他が選択でき、画像情報として観光地の建物画像、観光地風景画像、特殊イベント（お祭り等）画像、観光地その他の画像、その他が選択でき、文章情報として、観光地名所情報、エピソード、その他が選択でき、ナレーション情報として観光地名所情報、その他が選択でき、また音楽として地域音楽、テーマ、雰囲気毎に選択できる。
【００２４】
このステップＳ４で観光情報の種類を選択したときには、ユーザ５が撮影した撮影画像に位置情報、日時情報が含まれているかどうかを判断する（ステップＳ６）。ユーザ５が撮影した撮影画像に位置情報、日時情報が含まれているときには、この位置情報、日時情報に関連した記録媒体２に記録されている図４に示す如き詳細観光情報リストを表示する（ステップＳ７）。
【００２５】
ステップＳ６でユーザ５が撮影した撮影画像に位置情報、日時情報が含まれていないときには、位置情報、日時情報を選定し（ステップＳ８）、ステップＳ７に移行しこの位置情報、日時情報に関連した記録媒体２に記録されている図４に示す如き詳細観光情報リストを表示する。
【００２６】
次にこの詳細観光情報リストより希望の観光情報を選択する（ステップＳ９）。次にこの選択した希望の観光情報の内容を確認するかどうかを判断し（ステップＳ１０）、確認するときは、ステップＳ１１に移行して、この選択された観光情報の再生を行ない、この観光情報の確認を行ない、その後ステップＳ９に戻る。
【００２７】
このステップＳ１０で希望の観光情報の内容を確認しないときには、ステップＳ１２に移行し、選択情報はこの項目でいいかを判断する。このステップＳ１２で、選択情報がこの項目で悪いときには再びステップＳ９に戻り、希望の観光情報を選択する。
【００２８】
このステップＳ１２で選択情報がこの項目でよいと判断したときにはステップＳ１３に移行し、自分（ユーザ５）のコメント、タイトルを追加するかどうかを判断する。自分のコメント、タイトルを追加するときにはコメントまたはタイトルを入力する（ステップＳ１４）。
【００２９】
このステップＳ１４でコメントまたはタイトルを入力した後ステップＳ１５に移行する。このステップＳ１３で自分のコメント、タイトルを追加しないと判断したときにはステップＳ１５に移行する。このステップＳ１５においては、この編集のシミュレーションを再生するかどうかを判断する。
【００３０】
このステップＳ１５でシミュレーション再生すると判断したときにはステップＳ１６に移行し編集シミュレーション再生を行なう。その後、編集結果はこれでいいかが判断される（ステップＳ１７）。この編集結果が悪いと判断されたときにはステップＳ９に戻り、希望の観光情報を選択する。
【００３１】
このステップＳ１７で編集結果はこれで良いと判断したときにはステップＳ１８に移行する。またステップＳ１５で編集のシミュレーション再生をしないと判断したときも、ステップＳ１８に移行する。このステップＳ１８では電子アルバムの編集製作された電子アルバムを新たな記録媒体、即ちＤＶＤ−Ｒ、ＤＶＤ−ＲＷ、ＤＶＤ＋ＲＷ、ＤＶＤ−ＲＯＭ等のＤＶＤ、ＣＤ−Ｒ、ＣＤ−ＲＷ等のＣＤ−ＲＯＭ、フロッピー（登録商標）ディスク等の記録メディアに記録し、この電子アルバムの作成を終了する。
【００３２】
図５及び図６は夫々編集した電子アルバムの再生画面の例を示す。
【００３３】
図５の再生画面の例は自分で撮影した画像とその観光旅行地方名所の画像、その地方の画像、地図等をアレンジしたものである。
【００３４】
図６の再生画面の例は自分の撮影した画像の大画像の下側に観光旅行地の地図、インフォメーションランドマーク、ランドスケープの小画像を配置するようにしたものである。
【００３５】
本例は上述の如く観光地で販売する観光地に関連する文章、画像、音声、地図等の情報が記録された記録媒体にこの観光地に関連する文章、画像、音声、地図等の情報に位置、日時等の条件情報を付加したので、この文章、画像、音声、地図等の情報をこの位置、日時等の条件情報により検索することができ、簡単に所望の情報を得ることができる。
【００３６】
また本例によれば記録媒体のＩＤを確認することにより、この記録媒体に記録された情報の最新情報の提供をネットワークを介して受けることができる。
【００３７】
また本例の電子アルバム作成は位置、日時等の条件情報を使用するので観光情報の検索が簡単となり、比較的簡単に自分でオリジナルの電子アルバムを作成することができる。
【００３８】
上述例はパーソナルコンピュータ１０を電子アルバム作成装置としたが、この代わりに図７に示す如き、専用の電子アルバム作成装置を使用しても良い。
【００３９】
図７につき説明するにユーザ５は、まずある観光地で電子カメラ１を使用して撮影した動画や静止画の電子画像を、マイクロコンピュータ等より成る中央制御部２０の指示に従い電子カメラ１の記録媒体より読み込み・書き込み部２１を介して読み込みメモリ２２に記憶すると共に観光地で購入した観光地の情報が記録されたＣＤ−ＲＯＭ等の記録媒体２からこの観光地情報を読み込み・書き込み部２１を介して読み込み、メモリ２２に記憶する。図７において、２３は表示部である。
【００４０】
その後、この電子アルバム作成装置は図２のフローチャートに従って電子アルバムを作成する。そして編集して作成された観光情報が付加された電子アルバムを読み込み・書き込み部２１を介して新たな記録媒体、即ちＤＶＤ−ＲやＤＶＤ−ＲＷ、ＤＶＤ＋ＲＷ、ＤＶＤ−ＲＯＭ等のＤＶＤ、ＣＤ−ＲやＣＤ−ＲＷ等のＣＤ−ＲＯＭ、フロッピー（登録商標）ディスク等に記録する。
【００４１】
この場合、電子カメラ１により記録した記録媒体に追記もしくは上書きして記録するようにしても良い。
【００４２】
またこの場合、電子カメラ１の記録媒体よりの撮影画像及び記録媒体２よりの観光情報の読み込みを必要に応じてその都度行なっても良いし、編集後の記録媒体への書き込みを必要に応じて、その都度行なっても良い。
【００４３】
また図７例で読み込み・書き込み部２１を２つ設け、一方に電子カメラ１の記録媒体を装着し、他方に観光地情報の記録された記録媒体２を装着するようにしても良い。このようにすることにより装着した記録媒体を編集が終わるまでいちいち装着しなおす必要がなくなる。
【００４４】
ところで、実際にビデオ編集するときにおいて、一番手間と時間がかかるのはオープニングの映像、即ち出だしの部分である。例えば、観光旅行で撮影したビデオの冒頭において、その観光地の一番有名な場所と「フランス旅行」等のタイトルを重ね、これに背景音楽とともに映し出すようにすると、いかにも本格的に編集されたビデオと見えるものである。
【００４５】
本例では、記録媒体に素材情報として、予め編集された複数のオープニングの映像が位置、日時等の条件情報を付加して記録されており、ユーザは図３の希望観光情報の種類選択と同様に画面上に表示され選択可能に構成されており、または、ユーザの映像の条件情報により選択されて表示することが可能となっている。
【００４６】
そして、この出だしのビデオの後に続けて、ユーザの撮影した映像、すなわちビデオ映像の場合には適当な背景音楽と共に映し出し、静止画映像の場合は所謂スライドショー的に順次に背景音楽と共に映し出される。このようにすると、違和感のない、丁寧な編集が済んでいるような電子アルバム、またはビデオアルバムを見ている感じとなるものである。
【００４７】
そして、ユーザの撮影した映像を順次時系列に従い映し出す途中に、その場所や日時に適した「名所紹介」や「お国自慢」等をナレーションや音楽とともに、所謂番組中にコマーシャルを入れる感じで挿入される。すると、より盛り上がったものとなり、楽しく映像を見ることが出来る。更に、エンディングの映像、即ち最後の部分においても、複数の素材情報が用意され、出だしの部分と同様なことができるようになっている。
【００４８】
尚、本発明は上述例に限ることなく本発明の要旨を逸脱することなく、その他種々の構成が採り得ることは勿論である。
【図面の簡単な説明】
【００４９】
【図１】本発明電子アルバム作成装置を実施するための最良の形態の例の説明に供するシステム図である。
【図２】本発明の説明に供するフローチャートである。
【図３】本発明の説明に供する線図である。
【図４】本発明の説明に供する線図である。
【図５】本発明の説明に供する線図である。
【図６】本発明の説明に供する線図である。
【図７】本発明電子アルバム作成装置の例を示す構成図である。
【符号の説明】
【００５０】
１‥‥電子カメラ、２‥‥記録媒体、３‥‥土産店等、４‥‥観光情報提供サービス事業者、４ａ‥‥情報アップデートサービスサーバ、５‥‥ユーザ、６‥‥ネットワーク、１０‥‥パーソナルコンピュータ
【図１】
2005128785.tif 000003
【図２】
2005128785.tif 000004
【図３】
2005128785.tif 000005
【図４】
2005128785.tif 000006
【図５】
2005128785.tif 000007
【図６】
2005128785.tif 000008
【図７】
2005128785.tif 000009